【手続補正書】
【提出日】平成18年8月24日(2006.8.24)
【手続補正１】
【補正対象書類名】明細書
【補正対象項目名】特許請求の範囲
【補正方法】変更
【補正の内容】
【特許請求の範囲】
【請求項１】  始動入賞口への遊技球の入賞により複数列の図柄を変動させるべく始動及び停止させる図柄表示手段を備えたパチンコ遊技機において、
前記始動入賞口へ入賞した遊技球の始動保留球数の記憶値を計数する始動保留球数計数手段と、
前記各列の図柄の変動を前記図柄表示手段上で順次停止させる順次停止変動パターンと前記各列の図柄の変動を同時に停止させる同時停止変動パターンを記憶する図柄変動パターン記憶手段と、
前記図柄表示手段に表示する前記各列の図柄の組み合せを少なくとも特定の２列の図柄が一致する特定の図柄パターンとするか否かを判定する図柄パターン判定手段と、
前記図柄変動パターン記憶手段に記憶された前記順次停止変動パターンあるいは前記同時停止変動パターンのうちいずれか一方を選択して前記図柄表示手段を制御する制御手段と、を備え、
前記同時停止変動パターンにおける全列の図柄の変動開始から前記全列の図柄の変動が停止するまでの全図柄停止時間は、前記順次停止変動パターンにおける全列の図柄の変動開始から前記全列の図柄の変動が停止するまでの全図柄停止時間よりも早く設定されており、
前記制御手段は、前記図柄パターン判定手段の判定結果が前記特定の図柄パターンとならない場合であって、かつ前記全列の図柄の変動開始時において前記始動保留球数計数手段が計数している前記始動保留球数の記憶値が予め定めた上限値に達している場合には前記同時停止変動パターンを選択する一方で、前記図柄パターン判定手段の判定結果が前記特定の図柄パターンとなる場合には前記始動保留球数の記憶値に関係なく前記順次停止変動パターンを選択するパチンコ遊技機。
【請求項２】  前記特定の図柄パターンのうち、最終的に全列の図柄が一致しない図柄パターンは、特定の２列の図柄が一致して図柄の変動を停止した時に他の１列の図柄が変動する図柄パターン又は特定の１列の図柄が変動を停止した時に他の２列の図柄が一致して変動する図柄パターンのうちいずれか一方である請求項１に記載のパチンコ遊技機。
【請求項３】  前記制御手段は、前記特定の図柄パターンが、最終的に全列の図柄が一致する図柄パターン、最終的には全列の図柄が一致しない図柄パターンであって特定の２列の図柄が一致して図柄の変動を停止した時に他の１列の図柄が変動する図柄パターン、又は、最終的には全列の図柄が一致しない図柄パターンであって特定の１列の図柄が変動を停止した時に他の２列の図柄が一致して変動する図柄パターンである場合に前記順次停止変動パターンを選択する請求項１に記載のパチンコ遊技機。
【請求項４】  前記同時停止変動パターンにおける前記全図柄停止時間は、前記順次停止変動パターンにおいて最初に図柄の変動が停止するまでの図柄停止時間よりも早く設定されている請求項１〜請求項３のうちいずれか一項に記載のパチンコ遊技機。
【手続補正２】
【補正対象書類名】明細書
【補正対象項目名】０００８
【補正方法】変更
【補正の内容】
【０００８】
【課題を解決するための手段】
上記問題点を解決するために、請求項１に記載の発明は、始動入賞口への遊技球の入賞により複数列の図柄を変動させるべく始動及び停止させる図柄表示手段を備えたパチンコ遊技機において、前記始動入賞口へ入賞した遊技球の始動保留球数の記憶値を計数する始動保留球数計数手段と、前記各列の図柄の変動を前記図柄表示手段上で順次停止させる順次停止変動パターンと前記各列の図柄の変動を同時に停止させる同時停止変動パターンを記憶する図柄変動パターン記憶手段と、前記図柄表示手段に表示する前記各列の図柄の組み合せを少なくとも特定の２列の図柄が一致する特定の図柄パターンとするか否かを判定する図柄パターン判定手段と、前記図柄変動パターン記憶手段に記憶された前記順次停止変動パターンあるいは前記同時停止変動パターンのうちいずれか一方を選択して前記図柄表示手段を制御する制御手段と、を備え、前記同時停止変動パターンにおける全列の図柄の変動開始から前記全列の図柄の変動が停止するまでの全図柄停止時間は、前記順次停止変動パターンにおける全列の図柄の変動開始から前記全列の図柄の変動が停止するまでの全図柄停止時間よりも早く設定されており、前記制御手段は、前記図柄パターン判定手段の判定結果が前記特定の図柄パターンとならない場合であって、かつ前記全列の図柄の変動開始時において前記始動保留球数計数手段が計数している前記始動保留球数の記憶値が予め定めた上限値に達している場合には前記同時停止変動パターンを選択する一方で、前記図柄パターン判定手段の判定結果が前記特定の図柄パターンとなる場合には前記始動保留球数の記憶値に関係なく前記順次停止変動パターンを選択することを要旨とする。
【手続補正３】
【補正対象書類名】明細書
【補正対象項目名】０００９
【補正方法】変更
【補正の内容】
【０００９】
請求項２に記載の発明は、請求項１に記載のパチンコ遊技機において、前記特定の図柄パターンのうち、最終的に全列の図柄が一致しない図柄パターンは、特定の２列の図柄が一致して図柄の変動を停止した時に他の１列の図柄が変動する図柄パターン又は特定の１列の図柄が変動を停止した時に他の２列の図柄が一致して変動する図柄パターンのうちいずれか一方であることを要旨とする。
【手続補正４】
【補正対象書類名】明細書
【補正対象項目名】００１０
【補正方法】変更
【補正の内容】
【００１０】
請求項３に記載の発明は、請求項１に記載のパチンコ遊技機において、前記制御手段は、前記特定の図柄パターンが、最終的に全列の図柄が一致する図柄パターン、最終的には全列の図柄が一致しない図柄パターンであって特定の２列の図柄が一致して図柄の変動を停止した時に他の１列の図柄が変動する図柄パターン、又は、最終的には全列の図柄が一致しない図柄パターンであって特定の１列の図柄が変動を停止した時に他の２列の図柄が一致して変動する図柄パターンである場合に前記順次停止変動パターンを選択することを要旨とする。
【手続補正５】
【補正対象書類名】明細書
【補正対象項目名】００１１
【補正方法】変更
【補正の内容】
【００１１】
請求項４に記載の発明は、請求項１〜請求項３のうちいずれか一項に記載のパチンコ遊技機において、前記同時停止変動パターンにおける前記全図柄停止時間は、前記順次停止変動パターンにおいて最初に図柄の変動が停止するまでの図柄停止時間よりも早く設定されていることを要旨とする。
【手続補正６】
【補正対象書類名】明細書
【補正対象項目名】００１２
【補正方法】削除
【補正の内容】
【手続補正７】
【補正対象書類名】明細書
【補正対象項目名】００７０
【補正方法】変更
【補正の内容】
【００７０】
すなわち、請求項１に記載の発明によれば、始動保留球数の記憶値に拘わらず各列の図柄の組み合せが特定の図柄パターンである場合に、順次停止変動パターンが選択されることで遊技者に与える遊技効果を損なわないようにすることができる。
【手続補正８】
【補正対象書類名】明細書
【補正対象項目名】００７１
【補正方法】変更
【補正の内容】
【００７１】
請求項２に記載の発明によれば、請求項１に記載の発明の効果に加えて、始動保留球数の記憶値に拘わらず全列の図柄が一致する場合や特定の２列の図柄が一致する場合に、順次変動パターンが選択されることで遊技者に与える遊技効果を損なわないようにすることができる。
【手続補正９】
【補正対象書類名】明細書
【補正対象項目名】００７２
【補正方法】変更
【補正の内容】
【００７２】
請求項３に記載の発明によれば、請求項１に記載の発明の効果に加えて、順次停止変動パターンにより各列の図柄が順次停止することで、全列の図柄が一致する可能性があることを遊技者に予告することができ遊技者に対する遊技効果を向上させることができる。
また、請求項４に記載の発明によれば、請求項１〜請求項３に記載の発明の効果に加えて、同時停止変動パターンが選択された場合に図柄変動時間の短縮に貢献でき、遊技者も図柄変動時間の短縮を感じることができる。